(57)【要約】【課題】新構造のＰＤＰを提供する。【解決手段】背面基板と、背面基板から離れて配置された前面基板と、前面基板と背面基板との間に配置されて、背面基板と前面基板と共にサブピクセルに対応する複数の放電セルを限定する隔壁と、放電セルを取り囲むように配置された第１放電電極と、第１放電電極と所定間隔離れて放電セルを取り囲むように配置され、放電セルで、第１放電電極と交差するように延びた第２放電電極と、放電セル内に配置された蛍光体層と、放電セル内にある放電ガスとを備え、単位ピクセルは、サブピクセルを含み、少なくとも一方向に隣接する単位ピクセルが所定間隔離れて配置されたことを特徴とするＰＤＰである。【選択図】図２
2006164940.tif 000002
【特許請求の範囲】
【請求項１】
背面基板と、
前記背面基板から離れて配置され、前記背面基板との間に複数のサブピクセルを限定する前面基板と、
互いに交差するように延び、前記サブピクセル内で放電を起こす第１放電電極及び第２放電電極と、を備え、
単位ピクセルは、前記サブピクセルを含み、少なくとも一方向に隣接する前記単位ピクセルは、所定間隔離れて配置されたことを特徴とするプラズマディスプレイパネル。
【請求項２】
前記第１放電電極は、アドレス電極として作用し、
前記第２放電電極は、走査電極として作用することを特徴とする請求項１に記載のプラズマディスプレイパネル。
【請求項３】
前記第１放電電極が延びる方向に配置された単位ピクセルは、所定間隔離れて配置されていることを特徴とする請求項２に記載のプラズマディスプレイパネル。
【請求項４】
前記第２放電電極が延びる方向に配置された単位ピクセルは、所定間隔離れて配置されていることを特徴とする請求項２に記載のプラズマディスプレイパネル。
【請求項５】
前記単位ピクセルは、４個のサブピクセルを備えることを特徴とする請求項１に記載のプラズマディスプレイパネル。
【請求項６】
前記単位ピクセルは、１個の赤色サブピクセル、１個の緑色サブピクセル及び２個の青色サブピクセルを備えることを特徴とする請求項５に記載のプラズマディスプレイパネル。
【請求項７】
前記サブピクセルは、実質的に正方形であることを特徴とする請求項５に記載のプラズマディスプレイパネル。
【請求項８】
前記単位ピクセルは、実質的に正方形であることを特徴とする請求項５に記載のプラズマディスプレイパネル。
【請求項９】
前記単位ピクセルは、３個のサブピクセルを備えることを特徴とする請求項１に記載のプラズマディスプレイパネル。
【請求項１０】
前記サブピクセルは、実質的に長方形であることを特徴とする請求項９に記載のプラズマディスプレイパネル。
【請求項１１】
前記単位ピクセルは、実質的に正方形であることを特徴とする請求項９に記載のプラズマディスプレイパネル。
【請求項１２】
前記隣接する単位ピクセルの間隔は、非放電領域を形成することを特徴とする請求項１に記載のプラズマディスプレイパネル。
【請求項１３】
前記隣接する単位ピクセルの間隔の少なくとも一部は、誘電体で覆われたことを特徴とする請求項１に記載のプラズマディスプレイパネル。
【請求項１４】
背面基板と、
前記背面基板から離れて配置された前面基板と、
前記前面基板と背面基板との間に配置され、前記背面基板と前記前面基板と共にサブピクセルに対応する複数の放電セルを限定する隔壁と、
前記放電セルを取り囲むように配置された第１放電電極と、
前記第１放電電極と所定間隔離れて前記放電セルを取り囲むように配置され、前記第１放電電極が延びる方向と交差するように延びた第２放電電極と、
前記放電セル内に配置された蛍光体層と、
前記放電セル内にある放電ガスと、を備え、
単位ピクセルは、前記サブピクセルを含み、少なくとも一方向に隣接する前記単位ピクセルは、所定間隔離れて配置されたことを特徴とするプラズマディスプレイパネル。
【請求項１５】
前記第１放電電極は、アドレス電極として作用して、
前記第２放電電極は、走査電極として作用することを特徴とする請求項１４に記載のプラズマディスプレイパネル。
【請求項１６】
前記第１放電電極が延びる方向に配置された単位ピクセルは、所定間隔離れて配置されたことを特徴とする請求項１５に記載のプラズマディスプレイパネル。
【請求項１７】
前記第２放電電極が延びる方向に配置された単位ピクセルは、所定間隔離れて配置されたことを特徴とする請求項１５に記載のプラズマディスプレイパネル。
【請求項１８】
前記隣接する単位ピクセルの間隔が非放電領域を形成するように、前記隣接する単位ピクセルを限定する隔壁は、所定間隔離れて配置されたことを特徴とする請求項１４に記載のプラズマディスプレイパネル。
【請求項１９】
前記隣接する単位ピクセルは、少なくとも一つの隔壁を共有して配置され、
前記隣接する単位ピクセルによって共有された前記隔壁の幅が、前記単位ピクセルの内部に配置された隔壁の幅より広いことを特徴とする請求項１４に記載のプラズマディスプレイパネル。
【請求項２０】
前記隔壁は、前記第１放電電極が延びる方向に配置される縦隔壁部、及び縦隔壁部と交差する横隔壁部を備えることを特徴とする請求項１４に記載のプラズマディスプレイパネル。
【請求項２１】
前記単位ピクセルを限定する縦隔壁部の幅が、前記単位ピクセルの内部に配置された縦隔壁部の幅より広いことを特徴とする請求項２０に記載のプラズマディスプレイパネル。
【請求項２２】
前記単位ピクセルを限定する横隔壁部の幅が、前記単位ピクセルの内部に配置された横隔壁部の幅より広いことを特徴とする請求項２０に記載のプラズマディスプレイパネル。
【請求項２３】
前記単位ピクセルは、４個のサブピクセルを備えることを特徴とする請求項１４に記載のプラズマディスプレイパネル。
【請求項２４】
前記単位ピクセルは、１個の赤色サブピクセル、１個の緑色サブピクセル及び２個の青色サブピクセルを備えることを特徴とする請求項２３に記載のプラズマディスプレイパネル。
【請求項２５】
前記サブピクセルは、実質的に正方形であることを特徴とする請求項２３に記載のプラズマディスプレイパネル。
【請求項２６】
前記単位ピクセルは、実質的に正方形であることを特徴とする請求項２３に記載のプラズマディスプレイパネル。
【請求項２７】
前記単位ピクセルは、３個のサブピクセルを備えることを特徴とする請求項１４に記載のプラズマディスプレイパネル。
【請求項２８】
前記サブピクセルは、実質的に長方形であることを特徴とする請求項２７に記載のプラズマディスプレイパネル。
【請求項２９】
前記単位ピクセルは、実質的に正方形であることを特徴とする請求項２７に記載のプラズマディスプレイパネル。
【請求項３０】
前記第１放電電極及び第２放電電極は、前記隔壁内に配置されることを特徴とする請求項１４に記載のプラズマディスプレイパネル。
【請求項３１】
前記蛍光体層は、前記前面基板と前記第１放電電極及び第２放電電極との間に配置されることを特徴とする請求項１４に記載のプラズマディスプレイパネル。
【請求項３２】
前記放電セルに対向する前記前面基板の背面には、溝が形成されたことを特徴とする請求項１４に記載のプラズマディスプレイパネル。
【請求項３３】
前記蛍光体層は、溝内に配置されることを特徴とする請求項３２に記載のプラズマディスプレイパネル。
【請求項３４】
前記溝は、前記放電セルごとに非連続的に形成されたことを特徴とする請求項３２に記載のプラズマディスプレイパネル。
【請求項３５】
前記隔壁は、誘電体であることを特徴とする請求項１４に記載のプラズマディスプレイパネル。
【請求項３６】
前記隔壁の側面の少なくとも一部分を覆う保護層を更に備えることを特徴とする請求項１４に記載のプラズマディスプレイパネル。
【発明の詳細な説明】
【技術分野】
【０００１】
本発明は、新構造を有するプラズマディスプレイパネルに関する。
【背景技術】
【０００２】
最近には、従来の陰極線管ディスプレイ装置を代替するものとして注目されているプラズマディスプレイパネル（Ｐｌａｓｍａ Ｄｉｓｐｌａｙ Ｐａｎｎｅｌ：以下、ＰＤＰ）は、複数の電極が形成された二つの基板の間に放電ガスが封入された後に放電電圧が加えられ、それによって発生する紫外線により、所定のパターンで形成された蛍光体が励起されて所望の画像を得る装置である。
【０００３】
図１は、従来の一般的な交流型の３電極面放電ＰＤＰ５を部分的に切り取って示す分離斜視図である。
【０００４】
図１を参照すれば、ＰＤＰ５は、相互対向する背面基板１０と前面基板２０とを備える。背面基板１０の前面には、複数のアドレス電極１１が配列されており、このアドレス電極１１は、第１誘電体層１２により埋め込まれている。そして、第１誘電体層１２の前面には、隔壁１３が放電セル１４を区画している。この隔壁１３により区画された放電セル１４内には、蛍光体層１５が所定厚さに塗布される。前面基板２０は、可視光が透過されうる透明基板であって、主にガラスから形成され、隔壁１３が設けられた背面基板１０に結合される。前面基板２０の背面には、アドレス電極１１と交差する維持電極対３０が形成されている。この維持電極対３０のうち、一維持電極はＸ電極２１であり、他の維持電極はＹ電極２２である。このような維持電極対３０は、第２誘電体層２３により埋め込まれており、第２誘電体層２３の背面には、保護層２４が形成されている。
【０００５】
このような構造を有するＰＤＰの場合には、アドレス電極１１とＹ電極２２との間のアドレス放電によって発光される放電セル１４が選択され、前記選択された放電セルのＸ電極２１とＹ電極２２との間に発生する維持放電によって、その放電セルが発光する。更に具体的に説明すれば、前記維持放電によって、放電セル内にある放電ガスが紫外線を放出し、この紫外線は、蛍光体層１５が可視光線を放出させる。前記蛍光体層から放出された光が、ＰＤＰの画像を具現する。ＰＤＰ５の発光効率が高くなるには、幾つかの条件がある。その条件のうち一部は、前記放電ガスを励起させるための維持放電が発生する空間の体積が大きくなければならないこと、蛍光体層の表面積が広くなければならないこと、蛍光体層から放出される可視光線を妨害する構成要素が少なくなければならないことなどがある。
【０００６】
しかし、前記のような構造を有するＰＤＰ５の場合には、維持放電が、保護膜２４に隣接したＸ電極２１とＹ電極２２との間の空間のみで発生するため、維持放電が発生する空間の体積が小さく、蛍光体層の表面積が特別に広くなく、また、蛍光体層１５から放出される可視光線の一部が、保護膜２４、第２誘電体層２３、維持電極２１、２２などによって吸収及び／または反射されるため、前面基板を通過する可視光線の量は、蛍光体層から放出された可視光線の量の約６０％にしかならないという問題点がある。
【発明の開示】
【発明が解決しようとする課題】
【０００７】
本発明の目的は、前記問題点を解決して、発光効率の向上したＰＤＰを提供するところにある。
【０００８】
本発明の他の目的は、輝度の向上したＰＤＰを提供するところにある。
【０００９】
本発明の更に他の目的は、無効電力が減少したＰＤＰを提供するところにある。
【課題を解決するための手段】
【００１０】
前記目的を達成するために、本発明は、背面基板と、前記背面基板から離れて配置され、前記背面基板との間に複数のサブピクセルを限定する前面基板と、前記サブピクセルを横切って延び、前記サブピクセルで互いに交差するように配置される第１放電電極及び第２放電電極を備え、単位ピクセルは、前記サブピクセルを含み、少なくとも一方向に隣接する前記単位ピクセルが、所定間隔離れて配置されたことを特徴とするＰＤＰを提供する。
【００１１】
また、本発明の他の側面によれば、本発明は、背面基板と、前記背面基板から離れて配置された前面基板と、前記前面基板と背面基板との間に配置され、前記背面基板と前記前面基板と共に、サブピクセルに対応する複数の放電セルを限定する隔壁と、前記放電セルを取り囲むように配置された第１放電電極と、前記第１放電電極と所定間隔離れて前記放電セルを取り囲むように配置され、前記第１放電電極が延びる方向と交差するように延びた第２放電電極と、前記放電セル内に配置された蛍光体層と、前記放電セル内にある放電ガスと、を備え、単位ピクセルは、前記サブピクセルを含み、少なくとも一方向に隣接する前記単位ピクセルが所定間隔離れて配置されたことを特徴とするＰＤＰを提供する。
【００１２】
本発明において、前記第１放電電極は、アドレス電極として作用し、前記第２放電電極は、走査電極として作用することが好ましい。この時、前記第１放電電極または第２放電電極が延びる方向に配置された単位ピクセルが、所定間隔離れて配置されることが好ましい。
【００１３】
また、本発明において、前記隣接する単位ピクセルの間隔が非放電領域を形成するように、前記隣接する単位ピクセルを限定する隔壁は、所定間隔離れて配置されることが好ましい。
【００１４】
また、本発明において、前記隣接する単位ピクセルは、少なくとも一つの隔壁を共有して配置され、前記隣接する単位ピクセルによって共有された前記隔壁の幅が、前記単位ピクセルの内部に配置された隔壁の幅より広いことが好ましい。この時、前記隔壁は、前記第１放電電極が延びる方向に配置される縦隔壁部、及び縦隔壁部と交差する横隔壁部を備え、前記単位ピクセルを限定する縦隔壁部の幅が、前記単位ピクセルの内部に配置された縦隔壁部の幅より広いことが好ましい。また、前記単位ピクセルを限定する横隔壁部の幅が、前記単位ピクセルの内部に配置された横隔壁部の幅より広いことが好ましい。
【００１５】
また、本発明において、前記単位ピクセルは、３個または４個のサブピクセルを備え、前記単位ピクセルは、正方形（４個の場合）であることが好ましい。
【発明の効果】
【００１６】
本発明に係るＰＤＰは、単位ピクセルの間が離れているため、無効電力が減少して発光効率が向上する。
【００１７】
また、本発明に係るＰＤＰは、面放電が放電空間を形成するあらゆる側面で発生できるため、放電面が大きく拡大しうる。
【００１８】
また、本発明に係るＰＤＰは、放電が放電セルを形成する側面で発生して、放電セルの中央部に広がるため、放電領域が従来に比べて著しく向上することによって、放電セルの全体を効率的に利用できる。したがって、低電圧でも駆動が可能になって、発光効率を画期的に向上させうる。
【００１９】
また、本発明に係るＰＤＰは、低電圧駆動が可能であるため、高濃度Ｘｅガスを放電ガスとして使用しても、低電圧駆動が可能になって、発光効率を向上させうる。
【００２０】
また、本発明に係るＰＤＰは、放電応答速度が速く、低電圧駆動が可能になる。すなわち、放電電極が、可視光線が透過する前面基板に配置されておらず、放電セルの側面に配置されているため、放電電極として、抵抗の大きい透明電極を使用する必要がなく、抵抗の低い電極、例えば、金属電極を放電電極として使用できるため、放電応答速度が速くなり、波形の歪曲なしに低電圧駆動が可能になる。
【００２１】
また、本発明に係るＰＤＰは、永久残像を基本的に防止できる。すなわち、放電空間の側面に形成された放電電極に印加された電圧による電界が、プラズマを放電空間の中央部に集中させて集めるため、長時間の放電があっても、放電により生成されたイオンが、電界により蛍光体に衝突することを防止することによって、イオンスパッタリングによる蛍光体の損傷に起因して発生する永久残像の問題点を基本的に防止できる。特に、高濃度Ｘｅガスを放電ガスとして使用する場合、永久残像の問題は非常に深刻になるが、本発明の場合、このような永久残像を基本的に防止できる。
【発明を実施するための最良の形態】
【００２２】
以下、添付された図面及び好ましい実施例を詳細に説明することによって、前記本発明の目的及び利点は更に明らかになる。
【００２３】
図２ないし図６を参考すれば、本発明の第１実施例に係るＰＤＰ１００は、前面基板１２０、蛍光体層１２６、隔壁１２８、第１放電電極１１３、第２放電電極１１４、保護層１１９及び背面基板１１０を備える。
【００２４】
背面基板１１０及び前面基板１２０は、所定間隔で離れて、それらの間に隔壁１２８によって区画される複数の放電セル１３０を限定する。そのような放電セル１３０は、それぞれ赤色サブピクセル１５０Ｒ、緑色サブピクセル１５０Ｇ、青色サブピクセル１５０Ｂのうち、何れか一つに対応し、所定個数のサブピクセルは、単位ピクセル１５０を形成する。それについての詳細な事項は後述する。
【００２５】
放電セル１３０から発生される可視光が透過される前面基板１２０は、ガラスのように光透過性の優れた材料で製造される。背面基板１１０も、ガラスを利用して製造されることが一般的である。
【００２６】
図２を参照すれば、放電セル１３０は、マトリックス状に配置され、隔壁１２８は、放電セルの横断面が四角形を有するように形成されている。しかし、隔壁１２８の形態は、これに限定されるものではなく、複数の放電空間を形成できるかぎり、多様なパターンの隔壁、例えば、ワッフル、デルタのような隔壁になり得る。また、放電セルの横断面が、四角形の以外にも、三角形、五角形などの多角形、または、円形、楕円形などになるように形成されうる。ただし、本実施例の場合、単位ピクセル１５０が正方形の形状を有するように、放電セルの横断面が実質的に正方形を有することが好ましい。そのような隔壁１２８は、第１放電電極１１３が延びる方向（ｘ方向）に配置される縦隔壁部１２８ａと、前記縦隔壁部１２８ａに交差する横隔壁部１２８ｂとを備える。
【００２７】
図４に示すように、放電セル１３０を取り囲むように第１放電電極１１３及び第２放電電極１１４が配置されている。第１放電電極１１３及び第２放電電極１１４は、複数の四角形ループ状を有し、隔壁１２８内に配置される。そのような第１放電電極１１３は、一方向（ｘ方向）に配置された放電セル１３０を取り囲みつつ延びる。また、第２放電電極１１４も、単位放電セル１３０で第１放電電極１１３と交差するように、一方向（ｙ方向）に配置された放電セル１３０を取り囲みつつ延びる。隔壁１２８内で、第１放電電極１１３と第２放電電極１１４は、互いに離れて配置される。
【００２８】
放電セル１３０内での放電の均一化のために、第１放電電極１１３及び第２放電電極１１４のループ状の部分は、上下に対称に形成されることが好ましい。
【００２９】
本発明に係るＰＤＰ１００では、２電極構造をなす。したがって、第１放電電極１１３と第２放電電極１１４のうち何れか一つは、走査電極の作用を行い、他の一つは、アドレス電極の作用を行うが、本実施例で第１放電電極１１３は、アドレス電極の作用を行い、第２放電電極１１４は、走査電極の作用を行う。
【００３０】
そのような第１放電電極１１３及び第２放電電極１１４は、隔壁１２８内に配置されているため、前方（ｚ方向）への可視光透過率を阻害する要因にならない。したがって、第１放電電極１１３及び第２放電電極１１４は、ＩＴＯの代りにアルミニウム、銅のような電気伝導性の優れた金属で形成されうるため、長手方向への電圧降下が小さくなって、安定した信号伝達が可能になる。
【００３１】
隔壁１２８は、隣接した第１放電電極１１３と第２放電電極１１４との間に直接通電されることと、陽イオンまたは電子が電極１１３、１１４に直接衝突して電極１１３、１１４を損傷させることを防止しつつも、電荷を誘導して壁電荷を蓄積できる誘電体で形成されることが好ましい。
【００３２】
放電セル１３０に対向する前面基板１２０の背面には、溝１２０ａが形成されている。溝１２０ａは、放電セル１３０ごとに非連続的に形成され、放電セル１３０の中心部に対向する位置に形成されることが好ましい。ただし、溝１２０ａの形状は、これに限定されない。
【００３３】
そのような溝１２０ａは、所定の深さを有するように形成される。したがって、溝１２０ａによって前面基板１２０の厚さが減少するため、前方（ｚ方向）への可視光透過率が上昇する。
【００３４】
溝１２０ａ内には、それぞれ赤色、緑色、及び青色の発光蛍光体層１２６が所定の厚さに塗布される。しかし、蛍光体層１２６が配置される位置は、これに限定されず、放電セル１３０内に多様な位置に配置されうる。ただし、透過型構造を有するために、蛍光体層１２６は、前面基板１２０と電極１１３、１１４との間に配置されることが好ましい。
【００３５】
赤色発光蛍光体層が配置される赤色発光放電セル１３０Ｒは、赤色サブピクセル１５０Ｒに対応し、緑色発光蛍光体層あ配置される緑色発光放電セル１３０Ｇは、緑色サブピクセル１５０Ｇに対応し、青色発光蛍光体層が配置される青色発光放電セル１３０Ｂは、青色サブピクセル１５０Ｂに対応する。
【００３６】
蛍光体層１２６は、紫外線を受けて可視光線を発生させる成分を有するが、赤色発光放電セル１３０Ｒに形成された赤色蛍光体層は、Ｙ（Ｖ，Ｐ）Ｏ４：Ｅｕのような蛍光体を含み、緑色発光放電セル１３０Ｇに形成された緑色蛍光体層は、Ｚｎ２ＳｉＯ４：Ｍｎのような蛍光体を含み、青色発光放電セル１３０Ｂに形成された青色蛍光体層は、ＢＡＭ：Ｅｕのような蛍光体を含む。
【００３７】
隔壁１２８の側面には、保護層１１９が形成されることが好ましい。そのような保護層１１９は、プラズマ粒子のスパッタリングにより誘電体で形成された隔壁１２８と、第１放電電極１１３及び第２放電電極１１４とが損傷されることを防止し、２次電子を放出して放電電圧を下げる役割を行う。保護層１１９は、隔壁１２８の側面に酸化マグネシウム（ＭｇＯ）を所定の厚さに塗布することで形成されうる。保護層１１９は、主にスパッタリング、電子ビーム蒸着法で薄膜として形成される。
【００３８】
放電セル１３０には、Ｎｅ、Ｘｅ、及びそれらの混合気体のような放電ガスが封入される。本実施例を含む本発明の場合、面放電が増加し、放電領域が拡大しうるため、形成されるプラズマの量が増加して、低電圧駆動が可能になる。したがって、本発明の場合、高濃度Ｘｅガスを放電ガスとして使用しても、低電圧駆動が可能になることで、発光効率を画期的に向上させうる。このような点は、従来のＰＤＰで高濃度Ｘｅガスを放電ガスとして使用する場合、低電圧駆動が非常に難しくなるという問題点を解決したものである。
【００３９】
図５及び図６を参照すれば、本実施例に係るＰＤＰ１００で、単位ピクセル１５０の配置が図示されている。各単位ピクセル１５０は、４個のサブピクセル１５０Ｒ、１５０Ｇ、１５０Ｂａ、１５０Ｂｂを備える。本実施例で、横断面から見ると、各サブピクセルは、放電セル１３０を取り囲む第１放電電極１１３及び第２放電電極１１４の部分と、前記電極が埋め込まれた隔壁１２８の所定の部分まで含む仮想の領域を意味する。本実施例で、単位ピクセルは、１個の赤色サブピクセル１５０Ｒ、１個の緑色サブピクセル１５０Ｇ、及び２個の青色サブピクセル１５０Ｂａ、１５０Ｂｂを備える。一般的に、青色放電セルから発生される青色光の輝度が低い。したがって、青色光の輝度を補強するために、単位ピクセルに備えられた青色サブピクセルの個数が相対的に多いようになっている。また、本実施例で単位ピクセルに配置されたサブピクセル１５０Ｒ、１５０Ｇ、１５０Ｂａ、１５０Ｂｂは、一回転方向に赤色サブピクセル１５０Ｒ、緑色サブピクセル１５０Ｇ、青色サブピクセル１５０Ｂａ、及び青色サブピクセル１５０Ｂｂが配置されているが、単位ピクセル内でサブピクセルの配置位置はこれに限定されず、多様に配置されうる。また、赤色サブピクセルまたは緑色サブピクセルの個数を相対的に更に多く形成してもよい。さらに、単位ピクセルは、赤色サブピクセル、緑色サブピクセル、青色サブピクセル、及び白色サブピクセルを備えてもよい。
【００４０】
そのような単位ピクセル１５０は、全体的に横長Ｃ１と縦長Ｃ２とが同じ正方形であることが好ましい。これは、ＰＤＰの全体的な形状を自由にするのに利点がある。単位ピクセル１５０が正方形の形状を有するように、各サブピクセルも正方形であることが好ましい。
【００４１】
また、第２放電電極１１４が延びる方向（ｙ方向）に配置された単位ピクセル１５０が、所定間隔ｄ１離れている。このような単位ピクセルの間の構造は多様に具現されうるが、本実施例では、単位ピクセル１５０を限定する縦隔壁部の幅Ａ１が、単位ピクセルの内部に配置された縦隔壁部の幅Ａ２より広く形成されている。
【００４２】
また、第１放電電極１１３が延びる方向（ｘ方向）に配置された単位ピクセル１５０が、所定間隔ｋ１離れている。このような単位ピクセルの間隔は、多様な構造によって具現されうるが、本実施例では、単位ピクセル１５０を限定する横隔壁部の幅Ｅ１が、単位ピクセルの内部に配置された横隔壁部の幅Ｅ２より広く形成されている。
【００４３】
従来のＰＤＰの場合、単位ピクセルの間の間隔が存在しないため、隣接する電極間の距離が非常に近い。したがって、電極に電圧が印加される場合、隣接する電極間に無効電力が消費されるという問題点がある。このような無効電力は、変位電流によって発生するが、変位電流は、電気容量及び時間に対する電圧の変化に比例する。したがって、隣接する電極間に相異なる電圧パルスが印加される場合、電圧の変化によって変位電流が発生する。この時、対応する電極間の電気容量は、非誘電率と電極対向面積とに比例し、電極間の距離に反比例する。したがって、電極間の距離が近い場合、静電容量が増加して変位電流が増加し、それにより、無効電力が増加する。
【００４４】
本実施例で、第１放電電極１１３は、アドレス電極として作用し、第２放電電極１１４は、走査電極として作用するため、第１放電電極１１３または第２放電電極１１４に同一でない電圧が印加される場合が発生する。例えば、特定アドレス放電を起こすように意図されたサブピクセルに配置された第１放電電極には、アドレス電圧パルスが印加され、残りの第１放電電極には、アドレス電圧パルスが印加されないこともある。この時、前記アドレス放電を起こすように意図されたサブピクセルに配置された第２放電電極にも走査パルスが印加され、残りの第２放電電極には走査パルスが印加されないことも可能である。特に、このような第１放電電極１１３及び第２放電電極１１４に印加される電圧パルスの変化は、特定のパターン（例えば、ドットオンオフパターン）で更に大きく発生する。このような第１放電電極１１３と第２放電電極との間の電圧パルスの不一致は変位電流を誘導して、ＰＤＰの無効電力を増加させるという問題点がある。
【００４５】
したがって、第１放電電極１１３の間の距離及び第２放電電極１１４の間の距離を離隔することが、無効電力消費を減らすのに好ましい。しかし、あらゆる第１放電電極１１３の間の距離及び第２放電電極１１４の間の距離を離隔する場合、ＰＤＰの高精密化が難しい。もし、同じサイズのＰＤＰを仮定する場合、第１放電電極の間の距離及び第２放電電極１１４の間の距離が長くなれば、単位ピクセルの数が減少するが、放電セルのサイズが減少する。これは、ＰＤＰの性能の解像度または輝度に悪影響を及ぼす。したがって、あらゆる第１放電電極の間の距離及び第２放電電極１１４の間の距離を減少させる代わり、隣接する単位ピクセルの間の距離ｄ１、ｋ１を離隔させることにより、相異なる単位ピクセルに配置された第１放電電極の間の距離Ｂ１と第２放電電極の間の距離Ｐ１のみを長くし、単位ピクセル内に配置された第１放電電極の間の距離Ｂ２、及び第２放電電極の間の距離Ｐ２は、それより狭く維持させることが好ましい。本実施例では、前記したように、単位ピクセル１５０を限定する縦隔壁部の幅Ａ１が、単位ピクセル内に配置された縦隔壁部の幅Ａ２より広く、単位ピクセル１５０を限定する横隔壁部の幅Ｅ１が、単位ピクセル内に配置された横隔壁部の幅Ｅ２より広いため、前記の好ましい単位ピクセルの配置構造が具現される。したがって、ＰＤＰの高精密化も可能であるだけでなく、無効電力も減少する効果を有する。特に、本実施例の構造を有するＰＤＰの場合、離れた部分による放電セル１３０の横断面の縮小によるプラズマ放電量の減少が、放電セル１３０の深さ方向（ｚ方向）への延長を通じて補完されうるという長所を有する。
【００４６】
前記したように、構成された本発明の第１実施例に係るプラズマパネル１００の作動を説明すれば、次の通りである。
【００４７】
第１放電電極１１３と第２放電電極１１４との間にアドレス電圧が印加されることによって、アドレス放電が発生し、このアドレス放電の結果により維持放電が発生する放電セル１３０が選択される。その後、前記選択された放電セル１３０の第１放電電極１１３と第２放電電極１１４との間に放電維持電圧が印加されれば、第１放電電極１１３と第２放電電極１１４とにたまっていた壁電荷の移動により、維持放電を発生させ、この維持放電時に励起された放電ガスのエネルギー準位が低くなりつつ、紫外線が放出される。そして、この紫外線が、放電セル１３０内に塗布された蛍光体１２６を励起させるが、この励起された蛍光体１２６のエネルギー準位が低くなりつつ、可視光が放出され、この可視光が蛍光体層１２６と前面基板１２０とを透過して出射されつつ、ユーザーが認識できる画像を形成する。
【００４８】
また、図１に示された従来のＰＤＰにおいては、維持電極２１、２２間の維持放電が水平方向に発生して、放電面積が相対的に狭い。しかし、本実施例に係るＰＤＰ１００の維持放電は、放電セル１３０を限定するあらゆる側面で発生するだけでなく、放電面積が相対的に広いという長所がある。
【００４９】
また、本実施例での維持放電は、放電セル１３０の側面に沿って閉曲線に形成され、順次に放電セル１３０の中央部に広がる。それにより、維持放電が発生する領域の体積が増加し、また、従来にはよく使われていなかった放電セル内の空間電荷も発光に寄与する。それは、ＰＤＰの発光効率を向上させる。
【００５０】
また、本実施例に係るＰＤＰでは、維持放電が放電セルの中心部分でのみ行われるため、従来のＰＤＰの問題点であった荷電粒子による蛍光体のイオンスパッタリングが防止され、それにより、同じ画像を長く表示しても、永久残像が発生しないという長所がある。
【００５１】
図７には、第１実施例に係るＰＤＰの変形例に係る赤色、緑色、青色放電セル１３０Ｒ’、１３０Ｇ’、１３０Ｂ’、赤色、緑色、青色サブピクセル１５０Ｒ’、１５０Ｇ’、１５０Ｂ’及び単位ピクセル１５０’の配置図が図示されている。変形例が第１実施例と異なる点は、サブピクセル１５０Ｒ’、１５０Ｇ’、１５０Ｂ’が長方形の形状を有しているという点である。すなわち、サブピクセル１５０Ｒ’、１５０Ｇ’、１５０Ｂ’の横長Ｃ１’と縦長Ｃ２’とが同一ではないということを意味し、本実施例では、横長Ｃ１’より縦長Ｃ２’が更に長く形成されている。また、単位ピクセル１５０’は、それぞれ１個の赤色サブピクセル１５０Ｒ’、１個の緑色サブピクセル１５０Ｇ’、１個の青色サブピクセル１５０Ｂ’を備え、全体的に正方形であることが好ましい。
【００５２】
本変形例で、第１実施例と同様に、隣接する単位ピクセル１５０’の間が所定距離ｄ１’、ｋ１’離れて配置されているため、無効電力が減少する。
【００５３】
以下では、図８ないし図１０を参照して、第１実施例と異なる事項を中心に、本発明の第２実施例に係るＰＤＰ２００について説明する。ＰＤＰ２００は、大きく上板２５０及び下板２６０を備える。上板２５０は、前面基板２２０及び蛍光体層２２６を備え、下板２６０は、背面基板２１０、隔壁２２８、第１放電電極２１３、及び第２放電電極２１４を備える。第１放電電極２１３と第２放電電極２１４は、それぞれ一列に配置された放電セル２６０を取り囲みつつ延び、互いに交差するように放電セル２６０を横切って延びる。本実施例で、第１放電電極２１３は、一方向（ｘ方向）に延び、第２放電電極は、他方向（ｙ方向）に延びる。また、誘電体からなる隔壁２２８は、第１放電電極２１３が延びる方向（ｘ方向）に配置された縦隔壁部２２８ａと、前記縦隔壁部２２８ａと交差する横隔壁部２２８ｂとを備える。
【００５４】
本実施例が第１実施例と異なる点は、単位ピクセル２５０の間に離隔された部分２４０が誘電体で満たされず、非放電領域２４０、２４１を形成するという点である。これを詳細に説明すれば、次の通りである。
【００５５】
ＰＤＰ２００は、第１実施例と同様に、第２放電電極２１４が延びる方向（ｙ方向）に配置された単位ピクセル２５０の間が所定距離ｈ１離隔されている。離隔された部分２４０の形成のために、第２放電電極２１４が延びる方向（ｙ方向）に配置された単位ピクセル２５０をそれぞれ限定する縦隔壁部２２８ａの間が所定距離ｈ１離れて、その間に非放電領域２４０が形成される。ただし、前記非放電領域２４０に第２放電電極２１４が露出される場合、第２放電電極２１４が損傷される恐れがあるため、前記縦隔壁部の間に露出される第２放電電極は、誘電体層２７５で覆われることが好ましい。この時、図８及び図９に示されたように、露出される第２放電電極部分を別途の誘電体層２７５で覆うことも可能であるが、前記誘電体層２７５を縦隔壁部２２８ａと一体に形成することも可能である。この場合、第１実施例に係るＰＤＰ１００で、相対的に広い幅Ａ１を有する縦隔壁部２２８ａの上側に溝を形成して、第１放電電極の間に非放電領域２４０を形成することが製造方法において有利である。
【００５６】
また、ＰＤＰ２００は、第１実施例と同様に、第１放電電極２１３が延びる方向（ｘ方向）に配置された単位ピクセル２５０の間が所定距離ｇ１離れている。離隔された部分２４１の形成のために、第１放電電極２１３が延びる方向（ｘ方向）に配置された単位ピクセル２５０をそれぞれ限定する横隔壁部２２８ｂの間が所定距離ｇ１離れて、その間に非放電領域２４１が形成される。ただし、前記非放電領域２４１に第１放電電極２１３が露出される場合、第１放電電極２１３が損傷される恐れがあるため、前記横隔壁部の間に露出される第１放電電極は、誘電体層２７６で覆われることが好ましい。
【００５７】
そのように、異なる単位ピクセル２５０に配置された第１放電電極２１３の間及び第２放電電極２１４の間に非放電領域２４０、２４１が形成されることによって、前記第１放電電極２１３の間及び第２放電電極２１４の間の非誘電率が低下する。また、単位ピクセル２１３内に配置された第１放電電極２１３の間の距離Ｆ２に比べて、前記異なる単位ピクセル２５０に配置された第１放電電極２１３の間の距離Ｆ１が長くなる。図示されてはいないが、隣接する単位ピクセル２５０で隣接する第２放電電極２１４の間の距離が、単位ピクセル内に配置された第２放電電極２１４の間の距離より長くなる。
【００５８】
したがって、前記隣接する単位ピクセル間で第１放電電極２１３の間及び第２放電電極２１４の間の電気容量が減少して変位電流が減少し、それにより無効電力を減少させる。その他に、第１放電電極２１３及び第２放電電極２１４が延びる方向に配置された単位ピクセルの間の離隔による無効電力の減少などに関する事項は、前記した第１実施例と類似しているため、それを参照すればよい。
【００５９】
溝２２０ａが形成された前面基板２２０、蛍光体層２１６、保護層２１９、第１放電電極２１３、第２放電電極２１４、背面基板２１０、及び放電ガスに関する事項は、前記した第１実施例に対応する構成要素と構造及び作用が類似しているため、それを参照すればよい。また、赤色発光放電セル２３０Ｒ、緑色発光放電セル２３０Ｇ、及び青色発光放電セル２３０Ｂにそれぞれ対応する正方形の赤色サブピクセル２５０Ｒ、緑色サブピクセル２５０Ｇ、青色サブピクセル２５０Ｂａ、２５０Ｂｂと、１個の赤色サブピクセル２５０Ｒ、１個の緑色サブピクセル２５０Ｇ及び２個の青色サブピクセル２５０Ｂａ、２５０Ｂｂを備える正方形の単位ピクセル２５０についての事項も、前記した第１実施例と類似している。また、第２実施例に係るＰＤＰ２００の作動も第１実施例と類似しているため、ここではその説明を省略する。
【００６０】
本発明は、図示された実施例を参考に説明されたが、これは例示的なものに過ぎず、当業者ならば、これから多様な変形及び均等な他の実施例が可能であるということが理解できるであろう。したがって、本発明の真の技術的保護範囲は、特許請求の範囲の技術的思想によって決まらねばならない。
【産業上の利用可能性】
【００６１】
本発明は、ＰＤＰに関連した技術分野に好適に適用され得る。
【図面の簡単な説明】
【００６２】
【図１】従来の一般的なＰＤＰの分離斜視図である。
【図２】本発明の第１実施例に係るＰＤＰの分離斜視図である。
【図３】図２のＩＩＩ−ＩＩＩ線に沿って切り取った断面図である。
【図４】図２に示す放電セル及び第１放電電極及び第２放電電極を概略的に示す配置図である。
【図５】図３のＶ−Ｖ線に沿って切り取った放電セル、サブピクセル及び単位ピクセルの配置を示す配置図である。
【図６】図３のＶＩ−ＶＩ線に沿って切り取った放電セル、サブピクセル及び単位ピクセルの配置を示す配置図である。
【図７】本発明の第１実施例に係るＰＤＰの変形例であるが、図５に対応する配置図である。
【図８】本発明の第２実施例に係るＰＤＰの分離斜視図である。
【図９】図８のＩＸ−ＩＸ線に沿って切り取った断面図である。
【図１０】図９のＸ−Ｘ線に沿って切り取った放電セル、サブピクセル及び単位ピクセルの配置を示す配置図である。
【符号の説明】
【００６３】
１００  ＰＤＰ
１１０  背面基板
１１３  第１放電電極
１１４  第２放電電極
１１９  保護層
１２０  前面基板
１２０ａ  溝
１２６  蛍光体層
１２８  隔壁
１２８ａ  縦隔壁部
１２８ｂ  横隔壁部
１３０  放電セル
１５０  単位ピクセル
Ｅ１、Ｅ２  横隔壁部の幅
Ａ１、Ａ２  縦隔壁部の幅
【図１】
2006164940.tif 000003
【図２】
2006164940.tif 000004
【図３】
2006164940.tif 000005
【図４】
2006164940.tif 000006
【図５】
2006164940.tif 000007
【図６】
2006164940.tif 000008
【図７】
2006164940.tif 000009
【図８】
2006164940.tif 000010
【図９】
2006164940.tif 000011
【図１０】
2006164940.tif 000012